(57)【特許請求の範囲】
【請求項１】
加圧シリンダに固定されたアームと該加圧シリンダのロッドにリンクを介して接続されたアームとを枢支する枢着部を先端に備えたクレイデルを有するフィクスチャー用Ｘ型ガンにおいて、前記クレイデルに上下調整可能な１本のストッパーボルトを配置し、該ボルトの端部を前記両アームの当接面にそれぞれ当接させるようにしたことを特徴とするフィクスチャー用Ｘ型ガンのストッパー装置。
【請求項２】
ボルトの当接する前記両アームの当接面を円弧状に形成し、該ボルトの前記アームへの当接を常時略直角としたことを特徴とする請求項１記載のフィクスチャー用Ｘ型ガンのストッパー装置。
【発明の詳細な説明】
【０００１】
【発明の属する技術分野】
本発明は、フィクスチャー用Ｘ型ガンにおけるストッパー装置に関するものである。
【０００２】
【従来の技術】
従来、フィクスチャー用Ｘ型ガンにおけるストッパー装置としては図４に示すようなものがある。
即ち、加圧シリンダ１に固定された上部アーム２と該加圧シリンダ１のロッド３にリンク４を介して接続された下部アーム５とは、治具（図示せず）に取付けられたクレイデル６の先端の枢着部７に回動自在に枢支されている。
【０００３】
そして、前記クレイデル６にはストッパー受け８が配置され、該ストッパー受け８に対して前記上下アーム２，５からそれぞれストッパーボルト９，１０が調節自在に配置されている。
【０００４】
従って、図示の状態から加圧シリンダ１によってロッド３を引き込めることにより、先ず下部アーム５の先端が下方に開いて該アーム５のストッパーボルト１０がストッパー受け８に当接する。更にロッド３を引き込めると、上部アーム２の先端が上方に開いて該アーム２のストッパーボルト９が前記ストッパー受け８に当接して、上下アーム２，５は開放状態に維持される。
そしてこの際，ストッパー受け８とストッパーボルト９，１０とが急激に衝突をしてボルトが破損しないようにするため、加圧シリンダ１におけるピストン１１がシリンダエンド１２に先に当接するように、ストッパー受け８とストッパーボルト９，１０の間は僅かな隙間をあけておくように調整されている。
【０００５】
【発明が解決しようとする課題】
ところで、上記のストッパー装置においては、上下アーム２，５の各開放位置を調整するのに両ストッパーボルト９，１０のそれぞれの長さを精密に調整して前記僅かな隙間をあけるようにしなければならないばかりでなく、大きく開放される側のアームからのストッパーボルトがストッパー受け８に直角から大きく傾斜して該ストッパー受け８に当接するためボルトが破損する虞がある。
【０００６】
本発明は、従来の技術の有するこのような問題点に鑑みてなされたものであり、その目的とするところは、上下アームの開放寸法が自由に簡単に振り分けられ、その調整が極めて簡単にできるフィクスチャー用Ｘ型ガンのストッパー装置を提供しようとするものである。
【０００７】
また、ストッパーボルトがストッパー受けに常時略直角に当接できてボルトの破損の少ないフィクスチャー用Ｘ型ガンのストッパー装置を提供しようとするものである。
【０００８】
【課題を解決するための手段】
上記目的を達成するために、本発明におけるフィクスチャー用Ｘ型ガンのストッパー装置は、クレイデルに上下調整可能な１本のストッパーボルトを配置し、該ボルトの端部を前記両アームの当接面にそれぞれ当接させるようにしたことを特徴とするするものである。
【０００９】
また、ボルトの当接する前記両アームの当接面を円弧状に形成し、該ボルトの前記アームへの当接を常時略直角としたことを特徴とするものである。
【００１０】
【発明の実施の形態】
添付図面を参照して本発明の実施例について説明する。
図１は本発明に係るストッパー装置を備えたフィクスチャー用Ｘ型ガンの加圧状態を示すものであり、図２は上アームが大きく、図３は下アームが大きく開放状態にあるようにストッパーボルトを調整したものを示すものである。
【００１１】
図１において、２１は加圧シリンダ２２に固定された上部アームであり、２３は加圧シリンダ２２のロッド２４にリンク２５を介して接続された下部アームであって、これら上下アーム２１，２３は治具（図示せず）に取付けられたクレイデル２６の先端の枢着部２７に回動自在に枢支されている。
【００１２】
そして、前記クレイデル２６には、上下調整可能な１本のストッパーボルト２８がボルト保持板２９に螺装されており、所定の位置にナット３０で固定可能になっている。
【００１３】
また、前記上下アーム２１，２３のストッパーボルト２８との当接面３１，３２はアームの開放時にボルトの上下端部がそれぞれ略直角に当接するように円弧状に形成されている。
【００１４】
そして、前記ストッパーボルト２８の長さは、上下のアーム２１，２３の前記当接面３１，３２に該ストッパーボルト２８の上下端部が当接する直前に加圧シリンダ２２におけるピストン３３がシリンダエンド３４に先に当接するような長さとなっている。
【００１５】
以上のような構成からなるフィクスチャー用Ｘ型ガンにおいて、図２に示すように上部アーム２１を大きく，下部アーム２３を小さく開放する場合には、ボルト保持板２９から上方へ突出するボルト２８の突出量を短く，ボルト保持板２９から下方へ突出するボルト２８の突出量を長くするようナット３０を回転させるとよい。
【００１６】
また、図３に示すように上部アーム２１を小さく，下部アーム２３を大きく開放する場合には、ボルト保持板２９から上方へ突出するボルト２８の突出量を長く，ボルト保持板２９から下方へ突出するボルト２８の突出量を短くするようナット３０を回転させるとよい。
【００１７】
このように、上下アーム２１，２３の開放位置は１本のボルトを単に上下動させることにより自由に選択できる。
【００１８】
そして上下アーム２１，２３の当接面３１，３２を円弧状に形成した場合には、該ボルトの端部はそれぞれ略直角に上下アーム２１，２３の当接面３１，３２に常時当接できる。
【００１９】
【発明の効果】
本発明は、上述のような構成から成るので、上下アームの開放位置は１本のボルトを単に上下動させることにより自由に選択できてその調整が極めて簡単にできるフィクスチャー用Ｘ型ガンのストッパー装置である。
【００２０】
また、上下アームの当接面を円弧状に形成した場合には、ストッパーボルトはそれぞれ略直角に上下アームの当接面に常時当接できるのでボルトの破損の少ないフィクスチャー用Ｘ型ガンのストッパー装置となる。
【図面の簡単な説明】
【図１】図１は本発明に係るストッパー装置を備えたフィクスチャー用Ｘ型ガンの加圧状態を示す一部断面にした側面図である。
【図２】図２は上アームが大きく開放位置にある本発明に係るストッパー装置を備えたフィクスチャー用Ｘ型ガンの一部断面にした側面図である。
【図３】図３は下アームが大きく開放位置にある本発明に係るストッパー装置を備えたフィクスチャー用Ｘ型ガンの一部断面にした側面図である。
【図４】図４は従来例のフィクスチャー用Ｘ型ガンのストッパー装置の一部断面にした側面図である。
【符号の説明】
２１，２３              アーム
２２                    加圧シリンダ
２４                    ロッド
２５                    リンク
２６                    クレイデル
２７                    枢着部
２８                    ストッパーボルト
３１，３２              当接面
【図１】
0003783795.tif 000002
【図２】
0003783795.tif 000003
【図３】
0003783795.tif 000004
【図４】
0003783795.tif 000005